(57)【要約】【課題】  野球のバットのように重いものを手に持ち打撃をした場合、打撃時にバットのヘッドが下を向く瞬間ヘッドの重さと遠心力により必然的にバットの先端が引っ張られ、グリップエンドが手の平で移動しグリップが滑った状態になる。ヘッドが下がらない状態でスイングができ、且つグリップの滑りを解消する手段を設けた手袋を提供する。【解決手段】  手袋の手のひら側に滑り止め用保持部を形成し、打具のグリップを固定できる状態にする。【選択図】図２
2011218124.tif 000002
【特許請求の範囲】
【請求項１】
各指袋を備えた手袋と、  前記手袋の手のひら側に形成する保持部と、  から成ることを特徴とするヘッドの下がり防止用手袋。
【請求項２】
前記手袋の手のひら側に形成する前記保持部は、段丘状を成し、各指袋の指先から手首までの任意の位置に任意の形状で形成することを特徴とする請求項１に記載のヘッドの下がり防止用手袋。
【請求項３】
前記手袋の手のひら側に形成する前記段丘状の保持部は、前記手袋の各指袋の下部から手首までの任意の位置に任意の形状で形成することを特徴とする請求項１乃至請求項２に記載のヘッドの下がり防止用手袋。
【請求項４】
前記手袋の手のひら側に形成する前記段丘状の保持部は、親指袋側を薄く、または小さく形成し、小指袋側は厚くまたは大きく形成することを特徴とする請求項１乃至請求項３に記載のヘッドの下がり防止用手袋。
【請求項５】
前記手袋に形成する前記段丘状の保持部はスポンジ、ゴム、発泡材などの弾力材、砂状の微小な粒、空気室などで形成し手袋と一体型、または分離型に両用できるように形成することを特徴とする請求項１乃至請求項４に記載のヘッドの下がり防止用手袋。
【発明の詳細な説明】
【技術分野】
【０００１】  本発明は、野球、ゴルフ、テニスなどの打具を使用するあらゆるスポーツにおいて、手に着用して打球時にヘッドの下がりを防止することができる保持部付き手袋に関するものである。
【背景技術】
【０００２】  従来、打具のグリップが滑らないように手袋を着用しボールを打っているが、グリップが滑らない手段を設けた手袋であっても、打球時にはインパクトの位置から打具のヘッドが下がることで、ヘッドが下がった分グリップが手の平で滑りヘッドがぶれるという不具合があった。
【先行技術文献】
【特許文献】
【０００３】
【特許文献１】特開２００５−８０７４３号広報
【発明の概要】
【発明が解決しようとする課題】
【０００４】  前記特許文献１に記載の手袋は、手の平の窪みに相当する部分に中央に向けて球面に隆起させたパッドを取り付けることにより、野球のバット、テニス、バドミントンにおけるラケット等の握りが確実になり、滑りをなくしてスイングに安定感が増すとある。しかしながら、テニス、バドミントンなどのような軽い打具を使用した場合には、握りは確実になるものの、野球のバットのように重いものを手に持ち打撃をした場合を例にあげるなら、打撃時にバットのヘッドが下を向く瞬間ヘッドの重さと遠心力により必然的にバットの先端が引っ張られ、グリップが手の平で移動し打具が滑った状態になる。よって、野球のバットなどのような重い打具でグリップの滑りを解決するには課題が残される。本発明はヘッドが下がらない状態でスイングができ、且つグリップの滑りを解消する手段を設けた手袋を提供することを目的とする。
【課題を解決するための手段】
【０００５】  請求項１に記載の本発明は、各指袋を備えた手袋と、手袋の手のひら側に形成する保持部と、から成ることを特徴とする。【０００６】  請求項２に記載の本発明は、手袋の手のひら側に形成する保持部は、段丘状を成し、各指袋の指先から手首までの任意の位置に任意の形状で形成することを特徴とする。【０００７】  請求項３に記載の本発明は、手袋の手のひら側に形成する段丘状の保持部は、手袋の各指袋の下部から手首までの任意の位置に任意の形状で形成することを特徴とする。【０００８】  請求項４に記載の本発明は、手袋の手のひら側に形成する段丘状の保持部は、親指袋側を薄く、または小さく形成し、小指袋側は厚くまたは大きく形成することを特徴とする。【０００９】  請求項５に記載の本発明は、手袋に形成する前記段丘状の保持部はスポンジ、ゴム、発泡材などの弾力材、砂状の微小な粒、空気室などで形成し手袋と一体型、または分離型に両用できるように形成することを特徴とする。
【発明の効果】
【００１０】  請求項１に記載の本発明は、本発明を手に装着し例えば野球のバットを手に持ち打撃をした場合、保持部によりバットのグリップが固定された状態となり、グリップが手のひらで滑ることなく、グリップのどこの部分を握ってもグリップエンドを握った時のようにバットを確実に保つことができ、且つバットを軽く保持できるという優れた効果を発揮する。【００１１】  請求項２に記載の本発明は、手袋の手のひらに形成する保持部を段丘状にすることで、バットのグリップを一定の角度で保持することができ、ヘッドの位置を常に同じ場所に保つことができ、これにより安定したフォームの確立と常にヘッドが立った状態でボールを捉える事ができるという優れた効果を発揮する。【００１２】  請求項３に記載の本発明は、手袋に形成する保持部の位置を各指袋の下部から手首までの任意の位置に形成することにより、手のひらの保持部にグリップを乗せるだけで打具を軽く持つことができ、腕に力が入ることなく打具を振ることができる。打具を軽く持つことができることで、従来の素振り練習より疲れが少なく、多くの回数の素振り練習ができるという優れた効果を発揮する。【００１３】  請求項４に記載の本発明は、手袋に形成する保持部の位置を小指袋の下部から手首までの任意の位置に形成することにより、バットを持った時にできる小指側のバットと手袋の隙間を最小限にとどめることができ、この隙間が少なくなることで手のひらでグリップエンドが横滑りする、浮き上がるという不具合を解消することができるという優れた効果を発揮する。【００１４】  請求項５に記載の本発明は、保持部の材質を弾力材、砂状の微小な粒、空気室などの振動を吸収できる素材で形成することにより打具を握り実際ボールを打った際に、手に伝わる振動衝撃を吸収でき、親指、手首、肘、肩などへの負担を軽減することで怪我を予防することができ、さらにヘッドのブレを解消できるという優れた効果を発揮する。
【図面の簡単な説明】
【００１５】【図１】本発明のヘッドの下がり防止用手袋の正面図である。
【図２】本発明のヘッドの下がり防止用手袋の斜視図である。
【図３】本発明のヘッドの下がり防止用手袋を手に装着し野球用バットのグリップを手のひらに乗せた図である。
【図４】本発明のヘッドの下がり防止用手袋を手に装着し野球用バットのグリップを握った図である。
【図５】本発明のヘッドの下がり防止用手袋の第３の実施例を手に装着し野球用のバットのグリップを手にひらに乗せた図である。
【図６】本発明のヘッドの下がり防止用手袋の第２の実施例を手に装着し野球用のバットのグリップを握った図である。
【図７】野球用バットのグリップエンドの一部を軸方向に切り取った斜視図である。
【図８】本発明のヘッドの下がり防止用手袋の保持部の形状の一例を表す図である。
【図９】本発明のヘッドの下がり防止用手袋の保持部の形状の一例を表す図である。
【図１０】本発明のヘッドの下がり防止用手袋の保持部の形状の一例を表す図である。
【図１１】本発明のヘッドの下がり防止用手袋の第３の実施例を表す図である。
【図１２】本発明のヘッドの下がり防止用手袋の第３の実施例の斜視図である。
【発明を実施するための形態】
【００１６】  以下本発明を図面に示す実施形態図１〜１２に基づき説明をする。ただし、以下の実施するための形態は、本発明をヘッドの下がり防止用手袋についての一例として説明するものであり、この説明の図の項に限定されるものではない。
【００１７】  図１は本発明のヘッドの下がり防止用手袋の正面図を表した図である。ヘッドの下がり防止用手袋１、親指袋２、人差指袋３、中指袋４、薬指袋５、小指袋６、手首の位置７、手のひら部８、保持部９から構成される。保持部９は、手のひら部８の任意の位置に任意の形状で形成することができる。例えば、手のひら側の薬指袋、小指袋など各指袋に形成することもでき、また指袋以外の手のひら側に形成することもでき、指袋、手のひら両方に形成することもできる。
【００１８】  図２は本発明のヘッドの下がり防止用手袋１の斜視図である。手のひら部８、保持部９、保持部９に形成するアール部１０、保持部９の親指袋２側に形成する側面１１、保持部９の小指袋６側に形成する側面１２から構成される。保持部９の親指袋２側に形成する側面１１は、小指袋６側に形成する側面１２より薄く形成することができる。
【００１９】  図３は、本発明のヘッドの下がり防止用手袋１を手に装着し、野球用のバットのグリップを手のひらに乗せている図である。手首の位置７、保持部９、保持部９に形成するアール部１０、保持部９の親指袋図１−２側に形成する側面１１、保持部９の小指袋図１−６側に形成する側面１２、野球用のバット１３から構成される。保持部９に形成するアール部１０を野球のグリップ様に略円筒状の側面に合致するように形成することにより、野球のバットを握った時に、手のひらにグリップが密着した状態で保持でき、手のひら上でグリップが滑るという不具合を解消することができる。
【００２０】  図４は、手に装着した本発明のヘッドの下がり防止用手袋１を手に装着し、野球用のバットのグリップを手で握っている図である。手首の位置７、保持部９、保持部９に形成するアール部１０、保持部９の親指袋図１−２側に形成する側面１１、保持部９の小指袋図１−６側に形成する側面１２、野球用のバット１３から構成される。保持部９に形成するアール部１０は、グリップを握った時に、手とグリップの密着度を高めるとともに、打撃時に手首が返る際のバットの滑り、浮き上がりを抑えることができる。また、親指袋図１−２側の側面１１は、小指袋図１−６側の側面１２より薄く、または小さく形成することができる。
【００２１】  また、図４の保持部９に形成するアール部１０の形状は、野球用のバット１３のグリップがちょうど嵌め込まれるように、例えばパイプを軸方向に半分に割ったようなハーフパイプ状に形成しグリップが容易に滑り落ちないようにすることができる。
【００２２】  また、保持部９に形成するアール部１０を例えばゴルフのグリップ様に楕円の棒状に細く形成し、親指袋図１−２側から小指袋図１−６側まで取り付けることができる。この場合、小指袋図１−６側の保持部９の形状は、各スポーツの打具のグリップエンドの邪魔にならず且つグリップエンドがすっぽ抜けないように、小指袋図１−６側を太くしたテーパー状に形成することが肝要である。保持部９の小指袋図１−６側が太くなることで、グリップを握った時に小指とグリップの隙間がなくなり、親指を除いた４本の指それぞれが均等の力でグリップを握ることができ、些少の力で打具を保持することができる。
【００２３】  図５は、野球用バットのグリップエンドの一部を軸方向に切り取った斜視図である。アール部ａ、グリップエンドの上部ｂ、グリップエンドの底部の断面ｃから構成される。野球用のバットやテニスのラケットのグリップエンドはグリップを握った手からバットやラケットが滑り落ちないための機能を持っているが、本発明は、このグリップエンドの形状を手袋の保持部９に形成することにより、打具のグリップのどの部分を握ってもグリップエンドの機能を果たすことができるように形成したものである。
【００２４】  また、各スポーツの打具のグリップの形状を手袋に形成することで、打具を軽く保持することができ且つ滑りを軽減することができる。グリップの滑りを軽減することでヘッドの下がりを抑え、ヘッドが立った軌道の大きい理想的なスイングをすることができる。これにより、野球でいえば下半身に体重が乗った力強いスイングができ、飛距離を伸ばすことができる。また、グリップが滑らないことで、的確にバットの芯でボールを捉えることができ打率向上にもつながる。
【００２５】  図６は、本発明のヘッドの下がり防止用手袋１の保持部９の形状の一例を表した図である。保持部図１−９に形成する保持部９′、アール部１０′、保持部図１−９の手の親指袋側に形成する側面１１′、保持部図１−９の小指袋側に形成する側面１２′から構成される。アール部１０′は、アール状ではなく図６−１０′のように角を以て形成することもできる。例えばテニスの八角形のグリップの角度に合わせて形成することにより、ラケットのグリップエンドを握った時のようにグリップと手の密着度を高めることができ、力まずに体幹部を使った速いスイングができるようになる。また、アール部１０′の角の角度は任意に設定することができる。
【００２６】  図６−１１′は図５−ａに当たる部分であり、図６−１１′は図５−ｂに当たる部分であり、図６−１２′は図５−ｃに当たる部分である。
【００２７】  図７は、本発明のヘッドの下がり防止用手袋１の保持部の形状の一例を表した図である。保持部図１−９に形成する、アール部１０″、保持部図１−９の親指袋側に形成する側面１１″、保持部図１−９の小指袋側に形成する側面１２″から構成される。アール部１０″は、例えばゴルフクラブ、パターなどのグリップ様に形成し、グリップと手袋を密着させ保持できるようにすることができる。グリップを確実に保持できることでヘッドのブレがなくなり打球の方向性が安定してくる。また、保持部９″はゴム、シリコンゴムなどのような合成ゴムなどの弾力材、発泡材または空気室で形成することにより、振動を抑えることができ、実際に打撃をする際に、各指、手首、肘、肩への負担も軽減される。
【００２８】  図６の保持部９′および図７の保持部９″は、本発明のヘッドの下がり防止用手袋１に一体的に形成することもできるが、単体の部品として成型し市販のスポーツ用手袋、作業用手袋などに取り付けることも可能であり、保持部の一部に接着、取り外し可能な着脱機能を備えることができる。また保持部はゴム、シリコンゴムなどの合成ゴムを始めとした弾力材、発泡材または空気室で形成することにより、振動を抑えることができ、実際に打撃をする際に、各指、手首、肘、肩への負担も軽減される。
【００２９】  図８は、本発明のヘッドの下がり防止用手袋１の保持部の形状の一例を表した図である。保持部図１−９に形成するアール部１０″′、保持部図１−９の親指袋側に形成する側面１１″′、保持部図１−９の小指袋側に形成する側面１２″′から構成される。この保持部の一例は棒状をであることが特徴である。
【００３０】  図９は、本発明のヘッドの下がり防止用手袋の第２の実施例である。手袋１４、親指袋１５、人差指袋１６、中指袋１７、薬指袋１８、小指袋１９、手首の位置２０、手のひら部２１、保持部２２から構成される。保持部２２の形状は菱型、台形、多角形、円状、半円状や円柱状、棒状、角柱状など細長く形成し、手のひら２１でグリップを握った時にグリップ、グリップエンドおよび指の邪魔にならない大きさ、位置に形成することが肝要である。
【００３０】  図１０は、本発明のヘッドの下がり防止用手袋の第２の実施例の斜視図である。手のひら部２１、保持部２２、保持部２２に形成するアール部２３、保持部２２の親指袋図８−１５側に形成する側面２４、保持部２２の小指袋図８−１９側に形成する側面２５から構成される。保持部２２のアール部２３の傾斜角度は、図２−９の保持部のアール部１０の傾斜と比較して小指袋図８−１９側が手首の位置図８−２０側に大きく傾斜しており、ゴルフなどのように下を向けて打球する打具を使用する時に有効な角度である。
【００３１】  図１１は、本発明のヘッドの下がり防止用手袋の第３の実施例である。手袋２６、親指袋２７、人差指袋２８、中指袋２９、薬指袋３０、小指袋３１、手首の位置３２、手のひら部３３、保持部３４、３４′から構成される。保持部３４、３４′は小指袋３１側から親指袋側２７まで手のひら部３３を横断するように配置しているが、手のひら３３の親指側にある生命線といわれる線をまたぐように任意の位置で３４、３４′に分離する。保持部３４、３４′を分離することにより、グリップを握った際にグリップと手が最良の状態で密着し、吸いつくようにグリップを握ることができ、肩に力が入らずリラックスした状態で素振りをすることができる。
【００３２】  図１２は、本発明のヘッドの下がり防止用手袋の第３の実施例の斜視図である。手のひら部３３、保持部３４、３４′、アール部３５、親指袋図１１−２７側に形成する側面３６、３６′、小指袋図１１−３１側に形成する側面３７から構成される。保持部３４、３４′は、複数に分かれている。また、アール部３５は、グリップを保持するための部位であり、各スポーツの打具に合わせてアール状に限らず半面や凹凸に形成することもできる。
【００３３】  また、保持部３４、３４′を砂状の微小な粒で形成する場合は、手袋２６の手のひら部３３に保持部３４の形状に応じた形を手袋と同素材で綴じ合わせ、その中に微小な粒を入れ段丘状に手袋と一体型に形成する。この場合、微小な粒は砂、合成樹脂、合成ゴムの他に、発泡材、ウレタン、ポリウレタン、スポンジなどの低反発素材で形成することができる。
【符合の説明】
【００３１】１      本発明のヘッドの下がり防止用手袋２      親指袋３      人差指袋４      中指袋５      薬指袋６      小指袋７      手首の位置８      手のひら部分９      保持部１０    アール部１０′  保持部のアール部の一例１０″  保持部のアール部の一例１０″′保持部のアール部の一例１１    保持部の親指袋側の側面１１′  保持部の親指袋側の側面の一例１１″  保持部の親指袋側の側面の一例１１″′保持部の親指袋側の側面の一例１２    保持部の小指袋側の側面１２′  保持部の小指袋側の側面の一例１２″  保持部の小指袋側の側面の一例１２″′保持部の小指袋側の側面の一例１３    野球用のバット１４    本発明の第２の実施例のヘッドの下がり防止用手袋１５    本発明の第２の実施例のヘッドの下がり防止用手袋の親指袋１６    本発明の第２の実施例のヘッドの下がり防止用手袋の人差指袋１７    本発明の第２の実施例のヘッドの下がり防止用手袋の中指袋１８    本発明の第２の実施例のヘッドの下がり防止用手袋の薬指袋１９    本発明の第２の実施例のヘッドの下がり防止用手袋の小指袋２０    本発明の第２の実施例のヘッドの下がり防止用手袋の手首の位置２１    本発明の第２の実施例のヘッドの下がり防止用手袋の手のひら部分２２    本発明の第２の実施例のヘッドの下がり防止用手袋の保持部２３    本発明の第２の実施例のヘッドの下がり防止用手袋の保持部のアール部２４    本発明の第２の実施例のヘッドの下がり防止用手袋の保持部の親指袋側の側面２５    本発明の第２の実施例のヘッドの下がり防止用手袋の保持部の小指袋側の側面２６    本発明のヘッドの下がり防止用手袋の第３の実施例２７    本発明のヘッドの下がり防止用手袋の第３の実施例の親指袋２８    本発明のヘッドの下がり防止用手袋の第３の実施例の人差指袋２９    本発明のヘッドの下がり防止用手袋の第３の実施例の中指袋３０    本発明のヘッドの下がり防止用手袋の第３の実施例の薬指袋３１    本発明のヘッドの下がり防止用手袋の第３の実施例の手のひら部３２    本発明のヘッドの下がり防止用手袋の第３の実施例の手首の位置３３    本発明のヘッドの下がり防止用手袋の第３の実施例手のひら部３４    本発明のへッドの下がり防止用手袋の第３の実施例の保持部３４′  本発明のヘッドの下がり防止用手袋の第３の実施例の保持部３５    本発明のヘッドの下がり防止用手袋の第３の実施例のアール部３６    本発明のヘッドの下がり防止用手袋の第３の実施例の親指袋側の側面３６′  本発明のヘッドの下がり防止用手袋の第３の実施例の保持部の親指側の側面３７    本発明のヘッドの下がり防止用手袋の第３の実施例の小指袋側の側面  ａ    アール部  ｂ    グリップエンドの上部  ｃ    グリップエンドの底部の断面
【図１】
2011218124.tif 000003
【図２】
2011218124.tif 000004
【図３】
2011218124.tif 000005
【図４】
2011218124.tif 000006
【図５】
2011218124.tif 000007
【図６】
2011218124.tif 000008
【図７】
2011218124.tif 000009
【図８】
2011218124.tif 000010
【図９】
2011218124.tif 000011
【図１０】
2011218124.tif 000012
【図１１】
2011218124.tif 000013
【図１２】
2011218124.tif 000014